(57)【要約】【課題】照明装置において、光源部を保持するベース部に取り付けたときに、光源部がずれることを抑制する。【解決手段】照明装置１は、平板形状の光源部２と、光源部２を保持するベース部３と、を備える。光源部２は、平板状の発光パネル２１と、モジュールケース２２と、モジュールケース２２の装着面２Ａの両縁部に設けた取付爪（保持部２４）を有し、ベース部３は、保持部２４と係合するレール部３４を有する。保持部２４及びレール部３４の少なくとも一方は、他方と接触する箇所における摩擦を増加させる高摩擦処理Ａが施されている。この構成によれば、保持部２４とレール部３４とが接する箇所の摩擦が大きくなるので、この摩擦により光源部２がベース部３からずれることを抑制することができる。【選択図】図５
2014182955.tif 000002
【特許請求の範囲】
【請求項１】
光源部と、該光源部が施工される面に取り付けられて前記光源部を保持するベース部と、を備えた照明装置であって、
前記光源部は、平板状の発光パネルと、前記発光パネルを収容するモジュールケースと、前記ベース部と対向する前記モジュールケースの装着面の両縁部に設けられて前記モジュールケースを前記ベース部に取り付ける取付爪と、を有し、
前記ベース部は、前記取付爪と係合する一対のレール部を有し、
前記取付爪及びレール部の少なくとも一方は、他方と接触する箇所における摩擦を増加させる高摩擦処理が施されていることを特徴とする照明装置。
【請求項２】
前記光源部は、該光源部と前記レール部との離間が変化する可動機構を有することを特徴とする請求項１に記載の照明装置。
【請求項３】
前記取付爪は、前記レール部との対向方向に付勢及びスライド可能とされて前記可動機構として機能することを特徴とする請求項２に記載の照明装置。
【請求項４】
前記光源部は、前記装着面に該装着面と直交する方向に回転軸を有する回転子を有し、
該回転子は、回転角度に応じて前記回転子の側面と前記レール部との距離が変化するように構成されて前記可動機構として機能することを特徴とする請求項２に記載の照明装置。
【請求項５】
前記回転子は、前記装着面と正対する方向から見た形状が楕円形に構成されていることを特徴とする請求項４に記載の照明装置。
【請求項６】
前記回転子は、前記装着面と正対する方向から見た形状が多角形に構成されていることを特徴とする請求項４に記載の照明装置。
【発明の詳細な説明】
【技術分野】
【０００１】
本発明は、有機ＥＬ素子を光源とする照明装置に関する。
【背景技術】
【０００２】
有機ＥＬ素子は、低電圧で高輝度の発光が可能であり、含有する有機化合物の種類によって様々な発光色が得られ、且つ平板状の発光パネルとしての製造が容易である。そのため、近年、有機ＥＬ素子を照明装置の光源として用いることが注目されている。
【０００３】
この種のものとして、有機ＥＬ素子を光源とする平板形状の光源部と、光源部に給電し且つこの光源部を支持する基板（ベース部）と、を備えた照明器具がある（例えば、特許文献１参照）。この照明器具によれば、ベース部には、光源部と対向する面に給電部が複数設けられているので、ベース部に複数の光源部をマトリックス状に配置することにより、大型の面状発光体を得ることができる。
【先行技術文献】
【特許文献】
【０００４】
【特許文献１】特開２０１２−１０４５０４号公報
【発明の概要】
【発明が解決しようとする課題】
【０００５】
しかしながら、有機ＥＬ素子には所定の発光寿命があり、有機ＥＬ素子が組み込まれた光源部を所定期間毎に取り替える必要がある。ところが、上記特許文献１に記載の照明器具は、光源部の着脱が想定されていない。光源部の取替えは、ユーザによってなされるので、光源部は、ベース部に対して簡易に且つ任意の位置で着脱できるように構成されていることが望ましい。そこで、例えば、光源部に付勢された可動爪を設けて、光源部をベース部に係合させる構成が挙げられる。ところが、壁面等の垂直な面に光源部が配置される場合、可動爪の付勢力が十分でなければ、光源部の重みによって光源部がベース部からずれてしまうことがある。その一方で、可動爪の付勢力が強いと光源部の取り外しが困難になる。
【０００６】
本発明は、上記課題を解決するものであって、光源部を、この光源部を保持するベース部に取り付けたときに、光源部がずれることを効果的に抑制することができる照明装置を提供することを目的とする。
【課題を解決するための手段】
【０００７】
本発明の照明装置は、光源部と、該光源部が施工される面に取り付けられて前記光源部を保持するベース部と、を備えた照明装置であって、前記光源部は、平板状の発光パネルと、前記発光パネルを収容するモジュールケースと、前記ベース部と対向する前記モジュールケースの装着面の両縁部に設けられて前記モジュールケースを前記ベース部に取り付ける取付爪と、を有し、前記ベース部は、前記取付爪と係合する一対のレール部を有し、前記取付爪及びレール部の少なくとも一方は、他方と接触する箇所における摩擦を増加させる高摩擦処理が施されていることを特徴とする。
【０００８】
上記照明装置において、前記光源部は、該光源部と前記レール部との距離が変化する可動機構を有することが好ましい。
【０００９】
上記照明装置において、前記取付爪は、前記レール部との対向方向に付勢及びスライド可能とされて前記可動機構として機能することが好ましい。
【００１０】
上記照明装置において、前記光源部は、前記装着面に該装着面と直交する回転軸を有する回転子を有し、該回転子は、回転角度に応じて前記回転子の側面と前記レール部との距離が変化するように構成されて前記可動機構として機能することが好ましい。
【００１１】
上記照明装置において、前記回転子は、前記装着面と正対する方向から見た形状が楕円形に構成されていることが好ましい。
【００１２】
上記照明装置において、前記回転子は、前記装着面と正対する方向から見た形状が多角形に構成されていることが好ましい。
【発明の効果】
【００１３】
本発明によれば、光源部をベース部に取り付けたときに、取付爪とレール部とが接する箇所の摩擦が大きくなるので、この摩擦により光源部がベース部からずれることを効果的に抑制することができる。
【図面の簡単な説明】
【００１４】
【図１】本発明の一実施形態に係る照明装置の分解斜視図。
【図２】（ａ）（ｂ）は、同照明装置を構成する光源部のバリエーションを示す斜視図。
【図３】同照明装置の斜視図。
【図４】同照明装置の回路図。
【図５】同照明装置を構成する光源部及びベース部の部分拡大斜視図。
【図６】同照明装置において、光源部をベース部から取り付ける一手順を示す一部側断面図。
【図７】（ａ）（ｂ）は光源部の可動爪の先端に施された高摩擦処理の変形例を示す斜視図。
【図８】同照明装置の斜視図。
【図９】（ａ）（ｂ）は、光源部をベース部から取り外す際の手順を示す一部側断面図。
【図１０】本発明の第２の実施形態に係る照明装置を構成する光源部の拡大斜視図。
【図１１】（ａ）（ｂ）は、同照明装置における回転子の動作を説明するための正面図。
【図１２】（ａ）（ｂ）上記実施形態における回転子の変形例を説明するための正面図。
【発明を実施するための形態】
【００１５】
本発明の第１の実施形態に係る照明装置について、図１乃至図９を参照して説明する。図１に示すように、本実施形態に係る照明装置１は、光源部２と、この光源部２に給電し且つ光源部２を保持するベース部３と、を備える。ベース部３は、長尺形状とされ、一方の面を取付面とし、この取付面を介して、光源部が取り付けられる天井や壁等に固定される。ベース部３は、その長辺の長さが光源部２の縁部の長さよりも長くなるように形成され、複数の光源部２を保持することができる。
【００１６】
光源部２は、平板状の発光パネル２１と、発光パネル２１を収容するモジュールケース２２と、を有する。また、光源部２は、ベース部３と対向するモジュールケース２２の装着面２Ａに形成される一対の取付爪を有する。一方の取付爪（以下、係合部２３）は、モジュールケース２２の一縁部に設けられて、モジュールケース２２をベース部３に係合させる。また、他方の取付爪（以下、保持部２４）は、装着面２Ａにおいて係合部２３と対峙する他縁部に設けられて係合部２３をベース部３に係合させた状態でモジュールケース２２をベース部３に着脱可能に保持する。係合部２３及び保持部２４の少なくとも一方、本例では、保持部２４が、モジュールケース２２に対してスライド可能とされ、且つ対峙する係合部２３と反対方向へ付勢されている。また、光源部２は、装着面２Ａから立設された複数の給電端子２５を有する。これらの給電端子２５（図例では１対）は、係合部２３及び保持部２４を結ぶ直線上に配されている。これらの給電端子２５は、配線基板及びワイヤ等を介して発光パネル２１と電気的に接続されている。
【００１７】
ベース部３は、平板状の平面部３１と、平面部３１の中央にベース部３の長手方向に沿って形成されて光源部２に給電するための給電部３２と、平面部３１の両縁に屈曲形成された一対のレール部３３，３４と、を有する。給電部３２は、上記各給電端子２５と夫々接続される複数の導電部材３２ａと、これらの導電部材３２ａを保護すると共に光源部２の給電端子２５が差し込まれる給電レール３２ｂと、を有する。
【００１８】
レール部３３，３４は、長手方向に直交する側面が、平面部３１に対してＬ字状に立設され、更にその先端が内向きに凸なＶ字状となるように屈曲形成されている。そのため、平面部３１に対する立設部が、Ｖ字状部に対して凹んだ形状となり、凹んだ縁部の一方が、光源部２の係合部２３と係合する被係合部として機能し、他方が光源部２の保持部２４と係合する被保持部として機能する。
【００１９】
図２（ａ）（ｂ）に示すように、光源部２には、互いに大きさの異なる複数の形状のものが採用され得る。図２（ａ）に示す光源部２は、図２（ｂ）に示す光源部２の発光面の大きさが４倍である。なお、ここで言う発光面とは、実質的に発光パネル２１からの光を出射するモジュールケース２２の開口面２２ａの大きさを指す。最小の大きさの光源部２は正方矩形状であり、長尺形状の光源部２は、その長手方向の長さが、正方形状の光源部２の一片辺の整数倍とされる。また、ベース部３は、これらを保持できるように、その長手方向の長さが、正方形状の光源部２の一片辺の整数倍とされる。光源部２のうちサイズの大きいもの（長いもの）は、発光面あたりの単価が安くすることができる一方、部分破損等による取替えのコストは高くなる。
【００２０】
図３に示すように、ベース部３は、正方矩形状の光源部２ａと、長手方向の長さが光源部２ａの２倍の長さの光源部２ｂ、光源部２ａの４倍の光源部２ｃといった、異なる大きさの複数の光源部２を同時に保持することができる。ここでは、図示したように、光源部２ａ、２ｂ、２ｃ各々の長手方向に沿う辺の長さは、夫々７５ｍｍ、１５０ｍｍ、３００ｍｍとされる。また、光源部２ａ、２ｂ、２ｃの各々は、ベース部３に装着されたときにベース部３の短手方向に沿う辺（以下、短手方向に沿う辺という）の長さがすべて７５ｍｍとされる。また、ベース部３の長手方向の長さは、例えば、光源部２ａ、２ｂ、２ｃの長手方向に沿う辺の長さの合計と等しい５２５ｍｍ（７５ｍｍ＋１５０ｍｍ＋３００ｍｍ）に設定される。これにより、光源部２ａ、２ｂ、２ｃを、ベース部３の長手方向全長に亘って隙間なく配置することができる。一方、ベース部３の短手方向の長さは、光源部２ａ、２ｂ、２ｃの短手方向に沿う辺の長さと等しい７５ｍｍに設定される。なお、複数の光源部２が、隙間を空けて配置されてもよく、ベース部３の任意の位置に配置することができる。また、複数の光源部２を一定の間隔を空けて配置した場合、この空いた間隔に、光源部２と同形状で発光パネル２１を内装しないダミーケース（不図示）を取り付けることもできる。
【００２１】
図４に示すように、照明装置１は、ベース部３の給電部３２を介して光源部２を点灯駆動するための点灯回路に接続されている。点灯回路は、例えば、商用電源ＡＣからの交流電流を直流電流に変換するＡＣ／ＤＣコンバータと、直流電流電圧を所望の電圧に変圧するＤＣ／ＤＣコンバータと、変圧された直流電流の照明装置１への供給を制御するドライバと、を備える。これらＡＣ／ＤＣコンバータ、ＤＣ／ＤＣコンバータ及びドライバは、照明装置１が取り付けられる天井や壁に埋設される。ドライバから供給された直流電流は、給電部３２を介して各光源部２ｃ、２ｂ、２ａに通電される。
【００２２】
光源部２のモジュールケース２２（上述した図１及び図２参照）は、装着面２Ａと反対側が開口した箱形状とされ、その内部空間に発光パネル２１が収容され、発光パネル２１の発光面側を覆うように透光性カバー２６が設けられる。透光性カバー２６は、上記開口面２２ａに嵌り込む形状に形成されている。また、発光パネル２１の非発光面側には配線基板（不図示）が配される。この配線基板は、給電端子２５と接続された配線回路（不図示）と、発光パネル２１の外縁に延設された補助電極と上記配線回路とをワイヤ等を介して接続するためのランド部（不図示）と、を有し、発光パネル２１と共にモジュールケース２２内に収容される。
【００２３】
発光パネル２１は、有機ＥＬ素子を光源として、その発光面側から順に、透光性基板と、発光部と、発光部を封止する封止缶と、を有する（不図示）。発光部は、例えば、透光性基板側から順に、透明導電膜から成る正電極と、発光性有機材料を含む発光層と、光反射性を有する負電極と、を有する。封止缶は、発光部を外気、特に、水分及び酸素から隔離して発光部の劣化を防ぐ。なお、光源部２の光源は、有機ＥＬ素子に限られず、例えば、ＬＥＤ及びこのＬＥＤからの光を導光及び拡散する導光板から成る平面発光体が用いられてもよい。
【００２４】
図５に示すように、保持部２４は、一方のレール部３４に係合する可動爪２４ａと、可動爪２４ａの両側部を一定範囲でスライド可能に支持する一対の支持部２４ｂと、一対の支持部２４ｂを接続し且つ保持部２４をモジュールケース２２に固定する固定部２４ｃと、を有する。固定部２４ｃと可動爪２４ａとの間にはバネ２４ｄが配され、このバネ２４ｄにより可動爪２４ａが係合部２３とは反対方向に付勢される。この構成により、可動爪２４ａは、ベース部３のレール部３４に対して、バネ２４ｄの付勢によってレール部３４に接触し、これに反す方向に向かう力が加えられたときにレール部３４から離間する。本実施形態では、この可動爪２４ａが可動機構となる。可動爪２４ａにおけるレール部３４と係合する端部２４ｅは、先細り形状に形成されている。この端部２４ｅの表面は、レール部３４との間における摩擦を増加させる高摩擦処理Ａが施されている。本実施形態の高摩擦処理Ａは、粗いシボ加工により形成されている。
【００２５】
モジュールケース２２は、レール部３３，３４と夫々対向する側面２２ｂに形成された凹部２２ｃを有する。この凹部２２ｃは、後述するように、光源部２の取り外しの際に用いられる。なお、図５では、保持部２４側の凹部２２ｃを示し、係合部２３側の凹部２２ｃの記載を省略している。
【００２６】
光源部２をベース部３に装着させるときは、図６に示すように、まず光源部２の係合部２３側の端部をベース部３の一方のレール部３３に差し込み、係合部２３を回動軸としながら、光源部２の保持部２４側の端部を他方のレール部３４に押し付ける。この押し付け力により、保持部２４の可動爪２４ａがバネ２４ｄの付勢に反する方向にスライドし、可動爪２４ａの先端がレール部３４の凸部を乗り越えると、バネ２４ｄの付勢により可動爪２４ａがレール部３４の凹部に嵌る。また、このとき、光源部２の給電端子２５が、給電部３２の給電レール３２ｂに差し込まれ、導電部材３２ａと電気的に接続される。このようにして、光源部２がベース部３に装着される。
【００２７】
この構成によれば、可動爪２４ａの端部２４ｅは、その表面に高摩擦処理Ａが施されているので、保持部２４とレール部３４とが接する箇所の摩擦が大きくなる。従って、光源部２がベース部３の長手方向への力が加えられても、端部２４ｅがレール部３４との接触箇所から滑り難くなり、光源部２がずれることを効果的に抑制することができる。また、係合部２３におけるレール部３３との接触箇所も、同様のシボ加工が施されていてもよい（不図示）。こうすれば、光源部２がずれることをより確実に抑制することができる。
【００２８】
可動爪２４ａの先端に設ける高摩擦処理Ａは、上述したシボ加工に限らず、例えば、図７（ａ）に示すように、ゴム等の弾性部材２４ｆが設けられていてもよい。また、図７（ｂ）に示すように、可動爪２４ａの先端に、微細な凹凸２４ｇが形成されてもよい。また、図８に示すように、接触箇所における摩擦を増加させる高摩擦処理は、保持部２４の可動爪２４ａに限らず、係合部２３にあってもよい。また、ベース部３側のレール部３３、３４のうち、係合部２３及び保持部２４と接触する箇所に、高摩擦処理が施されていてもよい。
【００２９】
ベース部３から光源部２を取り外すときには、図９（ａ）に示すように、凹部２２ｃから先端がフック状となったジグ４を凹部２２ｃに指し込み、図９（ｂ）に示すように、ジグ４のフックをモジュールケース２２の装着面２Ａの縁部に引っ掛ける。そして、ユーザはジグ４を引っ張れば、その力はジグ４のフックを介して光源部２の装着面２Ａに伝わり、保持部２４の可動爪２４ａが、その付勢力に反する方向にスライドし、且つその先端がレール部３４の傾斜面を滑るように移動する。そして、可動爪２４ａがレール部３４の凸部を乗り越えることにより、保持部２４とレール部３４との保持が解除され、光源部２をベース部３から容易に取り外すことができる。
【００３０】
次に、上記実施形態の第２の実施形態に係る照明装置について、図１０及び図１１を参照して説明する。図１０に示すように、本実施形態に係る照明装置１においては、光源部２は、その装着面２Ａに、装着面２Ａと直交する回転軸を有する回転子２７を有する。図１１（ａ）に示すように、回転子２７は、保持部２４側だけでなく、係合部２３側にも設けられている。
【００３１】
回転子２７は、装着面２Ａと正対する方向から見た形状が楕円形である。そのため、図１１（ｂ）に示すように、回転子２７は、その回転角度に応じて回転子２７の側面とレール部３４（図６参照）との距離が変化するように構成されている。また、回転子２７の側面は、弾性部材により覆われて高摩擦処理Ａが施されている。
【００３２】
光源部２がベース部３に装着されているとき、楕円形状の回転子２７の長辺がレール部３３，３４の長手方向と平行になる状態で、回転子２７の側面は、レール部３３，３４に接している。この状態で、光源部２を動かす力が働くと、回転子２７の長辺がレール部３３，３４の長手方向と直交する方向になるように、回転子２７が回転しようとし、回転子２７の側面がレール部３３，３４を押圧する。この押圧力により、光源部２がベース部３から滑ってずれることを抑制することができる。なお、本実施形態においては、レール部３３，３４のうち回転子２７と接触する箇所に高摩擦処理が施される。また、図１１（ｂ）では、回転子２７が図１１（ａ）の位置より約９０°回転した例を示しているが、回転子２７の側面がレール部３３，３４を押圧して、その回転が止められるので、実際の回転子２７の回転角度は僅かである。なお、回転子２７は、回転角度に応じて回転子２７の側面とレール部３４との距離が変化すればよいので、回転軸を中心とする正円でなければよい。
【００３３】
回転子２７の形状は、上述した楕円に限らず、例えば、図１２（ａ）（ｂ）に示す変形例のように、装着面２Ａと正対する方向から見た形状が多角形（図例では六角形）であってもよい。この変形例においても、上記の楕円形の回転子２７と同様の効果を得ることができる。
【００３４】
なお、本発明に係る照明装置は、上記実施形態及び変形例に限定されず、種々の変形が可能である。例えば、第１の実施形態で示した可動爪２４ａの先端にシボ加工を施し、更に、光源部２に第２の実施形態で示した回転子２７を設けてもよい。また、例えば、可動爪２４ａの先端にシボ加工を施した場合には、係合部２３側にだけ回転子２７を設けてもよい。
【符号の説明】
【００３５】
１    照明装置
２    光源部
２Ａ    装着面
２１    発光パネル
２２    モジュールケース
２３    係合部（取付爪）
２４    保持部（取付爪）
２４    可動爪（可動機構）
２７    回転子（可動機構）
３    ベース部
３３    レール部
３４    レール部
Ａ    高摩擦処理
【図１】
2014182955.tif 000003
【図２】
2014182955.tif 000004
【図３】
2014182955.tif 000005
【図４】
2014182955.tif 000006
【図５】
2014182955.tif 000007
【図６】
2014182955.tif 000008
【図７】
2014182955.tif 000009
【図８】
2014182955.tif 000010
【図９】
2014182955.tif 000011
【図１０】
2014182955.tif 000012
【図１１】
2014182955.tif 000013
【図１２】
2014182955.tif 000014